(57)【特許請求の範囲】
【請求項１】
会員端末２０と、メインサーバ１０が、有線または無線ネットワークを介して接続され、前記会員端末２０と一定の関係にある緊急連絡端末３０に関する情報が前記メインサーバ１０に登録される、死後時点と招待弔問客別のメッセージ送信システムにおいて、前記会員端末２０は、前記メインサーバ１０に弔問客として招待する弔問客のリストをアップロードし、前記メインサーバ１０は、前記会員端末２０と、前記緊急連絡端末３０を介して前記会員端末２０を所持した会員の死亡時期を把握し、前記会員端末２０を所持した会員が死亡した時点で、前記弔問客のリストに登録された弔問客端末４０に訃告通知を送信する死後時点と招待弔問客別のメッセージ送信システムであって、
前記メインサーバ１０は、
前記会員端末２０を介した一定時間間隔での特定のコードの入力がされない場合に、前記会員端末２０に対し固有のコードを送信し、
前記固有のコードへの応答がない場合に、前記会員端末２０の位置と生体情報を収集し、
前記会員端末２０を介して収集された生体情報が危険な状況であり、前記会員端末２０の位置が特定の場所から一定の距離以内であり、前記特定の場所に前記会員端末２０の滞留する時間が一定時間を超える場合に、前記緊急連絡端末３０に前記会員端末２０を所持した会員の状態を把握するためのアラームを送信し、
前記緊急連絡端末３０から受信する訃告通知に基づいて前記会員端末２０を所持した会員が死亡したと判断すると、事前に保存された弔問客リストに登録された弔問客端末４０に訃告通知を送信するように構成され、
葬儀場に設置されるビーコン端末から送信される信号を介して前記弔問客端末４０の位置を把握するように構成され、
会員が弔問客の使用する前記弔問客端末４０それぞれに対応して生前に作成してアップロードした挨拶メッセージを弔問客の弔問時点に合わせて送信して表示されることができるように構成される死後時点と招待弔問客別のメッセージ送信システム。
【請求項２】
前記会員端末２０には、前記会員端末２０を所持した会員の生体情報を収集する生体認証モジュール、及び前記会員端末２０の位置を把握するＧＰＳモジュールを含み、前記生体認証モジュールで収集された会員の生体情報と前記ＧＰＳモジュールを介して特定された前記会員端末２０の位置は、前記メインサーバ１０に送信される請求項１に記載の死後時点と招待弔問客別のメッセージ送信システム。
【請求項３】
前記ビーコン端末５０を介して前記弔問客端末４０の位置が葬儀場の特定の場所にあると判断されると、前記メインサーバ１０は、前記の弔問客端末４０に葬儀が行われる場所を案内する葬儀案内メッセージを送信する請求項１に記載の死後時点と招待弔問客別のメッセージ送信システム。
【請求項４】
前記ビーコン端末５０を介して前記弔問客端末４０の位置が葬儀場の特定の場所にあると判断されると、前記メインサーバ１０は、前記の弔問客端末４０に前記会員端末２０を介してアップロードされた挨拶メッセージを送信する請求項１に記載の死後時点と招待弔問客別のメッセージ送信システム。
【請求項５】
前記会員端末２０を所持した会員の死亡時点から、一定時間が経過した後、前記メインサーバ１０は、前記の弔問客端末４０に、最終メッセージを送信する請求項１に記載の死後時点と招待弔問客別のメッセージ送信システム。
【請求項６】
会員端末２０を介してメインサーバ１０に葬儀に招待する弔問客のリストをアップロードするステップ；前記メインサーバ１０に前記弔問客のリストを構成する個々の弔問客端末４０に送信するメッセージをアップロードするステップ；葬儀情報を把握するステップ；前記葬儀情報が把握されると、前記メインサーバ１０を介して前記弔問客端末４０に訃告通知を送信するステップ；前記弔問客端末４０が葬儀場の特定の場所に存在すれば、前記メインサーバ１０は、前記の弔問客端末４０に前記メッセージを送信するステップ；とを含み、
前記葬儀情報を把握するステップは、前記会員端末２０を介して前記メインサーバ１０に一定時間間隔で特定のコードを送信するステップ；前記会員端末２０を介して一定時間間隔で特定のコードが送信されない場合は、前記メインサーバ１０は、前記会員端末２０に固有のコードを送信するステップ；前記会員端末２０を介して前記固有のコードへの応答がない場合は、前記メインサーバ１０は、前記会員端末２０の位置と生体情報を収集するステップ；前記会員端末２０を介して収集された生体情報が危険な状況であり、前記会員端末２０の位置が特定の場所から一定の距離以内であり、前記特定の場所に前記会員端末２０の滞留する時間が一定時間を超えると、前記メインサーバ１０は、前記会員端末２０と一定の関係にある緊急連絡端末３０にアラームを送信するステップ；前記メインサーバ１０は、前記緊急連絡端末３０から受信する訃告通知に基づいて前記会員端末２０を所持した会員が死亡したと判断すると、事前に保存された弔問客リストに登録された弔問客端末４０に訃告通知を送信するステップ；前記メインサーバ１０は、葬儀場に設置されるビーコン端末から送信される信号を介して前記弔問客端末４０の位置を把握するステップ；前記メインサーバ１０は、会員が弔問客の使用する弔問客端末４０それぞれに対応して生前に作成してアップロードした挨拶メッセージを弔問客の弔問時点に合わせて送信して表示されることができるようにするステップ；とを含む死後時点と招待弔問客別のメッセージ送信方法。
【請求項７】
前記メッセージを送信するステップは、前記弔問客端末４０が葬儀場の第１の特定の場所に存在すれば、前記メインサーバ１０は、前記の弔問客端末４０に葬儀が行われる場所を案内する葬儀案内メッセージを送信するステップ；前記弔問客端末４０が葬儀場の第２の特定の場所に存在すれば、前記メインサーバ１０は、前記の弔問客端末４０に前記会員端末２０を介して事前にアップロードされた挨拶メッセージを送信するステップ；とを含む請求項６に記載の死後時点と招待弔問客別のメッセージ送信方法。
【請求項８】
前記会員端末２０を所持した会員の死亡時点から、一定時間が経過した後、前記メインサーバ１０は、前記の弔問客端末４０に、最終メッセージを送信する請求項６に記載の死後時点と招待弔問客別のメッセージ送信方法。
【発明の詳細な説明】
【技術分野】
【０００１】
本発明は、死後時点と招待弔問客別のメッセージ送信システム及びこれを用いた死後メッセージの送信方法に関するもので、より詳細には、亡者の死亡時点を正確に把握して弔問客に訃告を迅速に送信し、弔問客が弔問する場合、亡者が弔問客に挨拶メッセージを送信することができる死後時点と招待弔問客別のメッセージ送信システム及びこれを用いた死後メッセージの送信方法に関するものである。
【背景技術】
【０００２】
一般的に、韓国の葬儀は３日葬（三日間にわたり行う葬儀）を行うことが普遍化されている。３日葬を行う過程では、喪主または遺族は弔問客たちに葬儀の手配を直接通知しなければならない不便さがあった。
【０００３】
すなわち、従来には家族が亡くなると、遺族が周囲知人や亡者の知人に有線または他の方法を介して直接故人の死亡の事実と葬儀の手続きについていちいち案内しなければならない不便さがあった。これらの方法は、葬儀の手続きを踏む遺族にとっては非常に面倒な問題があった。
【０００４】
また、最近になって、社会全体で生活水準が高まるに伴い、品格のある死に対する一般の人々の意識が高まっているのが現実である。そして死に対する考え、死を対処する方法、および儀式の葬儀の意味などが従来と比較して変化している。つまり、死を控えている人は、葬儀の手続きを介して、自分が共にいたい人を招待し、かれらに普段はできなかったメッセージを伝えることができる欲求が存在している。
【０００５】
これらのニーズを満たすために、スマートフォンのような携帯情報端末と、有線または無線ネットワーク技術を組み合わせて、新しい葬儀の手続きや案内に関する技術が要求されているのが現状である。
【発明の概要】
【発明が解決しようとする課題】
【０００６】
本発明は、前記のような問題点を解決するためのもので、死者の死亡時点を正確に把握して弔問客に迅速に訃告を送ることができる死後時点と招待弔問客別のメッセージ送信システム及びこれを用いた死後メッセージの送信方法を提供することを目的とする。
【０００７】
また、葬儀場を訪問する弔問客たちに亡者が残したメッセージなどを送信することができる死後時点と招待弔問客別のメッセージ送信システム及びこれを用いた死後メッセージの送信方法を提供することを他の目的とする。
【０００８】
また、亡者が死亡した後、一定の時期に亡者が残したメッセージを弔問客たちに送信することができる死後時点と招待弔問客別のメッセージ送信システム及びこれを用いた死後メッセージの送信方法を提供することを他の目的とする。
【課題を解決するための手段】
【０００９】
前記のような目的を達成するための本発明の実施例による死後時点と招待弔問客別のメッセージ送信システムは、会員端末２０と、メインサーバ１０が、有線または無線ネットワークを介して接続され、前記会員端末２０と一定の関係にある緊急連絡端末３０に関する情報が前記メインサーバ１０に登録されている死後時点と招待弔問客別のメッセージ送信システムにおいて、前記会員端末２０は、前記メインサーバ１０に弔問客として招待する弔問客のリストをアップロードし、前記メインサーバ１０は、前記会員端末２０と、前記緊急連絡端末３０を介して前記会員端末２０を所持した会員の死亡時期を把握し、前記会員端末２０を所持した会員が死亡した時点で、前記弔問客リストに登録された弔問客端末４０へ弔問客別に登録された訃告メッセージを送ることができる。
【００１０】
前記会員端末２０には、前記会員端末２０を所持した会員の生体情報を収集する生体認証モジュール、前記会員端末２０の位置を把握するＧＰＳモジュールとを含み、前記生体モジュールで収集された会員の生体情報と前記ＧＰＳモジュールを介して特定された前記会員端末２０の位置は、前記メインサーバ１０に送信されることができる。
【００１１】
葬儀場の特定の場所に設置されて前記弔問客端末４０と近距離通信を介して前記弔問客端末４０の位置を測定し、前記メインサーバ１０に転送するビーコン端末５０；をさらに含むことができる。
【００１２】
前記ビーコン端末５０を介して前記弔問客端末４０の位置が葬儀場の特定の場所にあると判断されると、前記メインサーバ１０は、前記の弔問客端末４０に葬儀が行われる場所を案内する葬儀案内メッセージを送信することができる。
【００１３】
前記ビーコン端末５０を介して前記弔問客端末４０の位置が葬儀場の特定の場所にあると判断されると、前記メインサーバ１０は、前記の弔問客端末４０に前記会員端末２０を介してアップロードされた挨拶メッセージを送信することができる。
【００１４】
前記会員端末２０を所持した会員の死亡時点から、一定時間が経過した後、前記メインサーバ１０は、前記の弔問客端末４０に、最終メッセージを送信することができる。
【００１５】
本発明の他の実施例による死後時点と招待弔問客別のメッセージの発送方法は、会員端末２０を介してメインサーバ１０に葬儀に招待する弔問客のリストをアップロードするステップ； 前記メインサーバ１０に前記弔問客のリストを構成する個々の弔問客端末４０に送信するメッセージをアップロードするステップ； 葬儀情報を把握するステップ； 前記葬儀情報が把握されると、前記メインサーバ１０を介して前記弔問客端末４０に死亡通知を送信するステップ；、前記弔問客端末４０が葬儀場の特定の場所に存在すれば、前記メインサーバ１０は、前記の弔問客端末４０に前記メッセージを送信するステップ；とを含むことができる。
【００１６】
前記メッセージを送信するステップは、前記弔問客端末４０が葬儀場の第１の特定の場所に存在すれば、前記メインサーバ１０は、前記の弔問客端末４０に葬儀が行われる場所を案内する葬儀案内メッセージを送信するステップ、前記弔問客端末４０が葬儀場の第２の特定の場所に存在すれば、前記メインサーバ１０は、前記の弔問客端末４０に前記会員端末２０を介して事前にアップロードされた挨拶メッセージを送信するステップ；とを含むことができる。
【００１７】
前記葬儀情報を把握するステップは、前記会員端末２０を介して前記メインサーバ１０に一定時間間隔で特定のコードを送信するステップ；前記会員端末２０を介して一定の時間間隔で、特定のコードが送信されない場合は、前記メインサーバ１０は、前記会員端末２０に固有のコードを送信するステップ；前記会員端末２０を介して前記固有のコードへの応答がない場合は、前記メインサーバ１０は、前記会員端末２０の位置と生体情報を収集するステップ；前記会員端末２０を介して収集された生体情報が危険な状況であり、前記会員端末２０の位置が特定の位置から一定の距離以内であり、前記特定の場所に前記会員端末２０の滞留する時間が一定時間を超えると、前記メインサーバ１０は、前記会員端末２０と一定の関係にある緊急連絡端末３０にアラームを送信するステップ；前記緊急連絡端末３０は、前記メインサーバ１０に死亡通知を送信するステップ；とを含むことができる。
【００１８】
前記会員端末２０を所持した会員の死亡時点から、一定時間が経過した後、前記メインサーバ１０は、前記の弔問客端末４０に、最終メッセージを送信することができる。
【発明の効果】
【００１９】
前記のような本発明の実施例による死後時点と招待弔問客別のメッセージ送信システム及びこれを用いた死後メッセージの送信方法によれば、会員端末２０を介してメインサーバ１０に弔問客のリストをアップロードし、特定の時点で弔問客端末４０にビデオ、肉声、手紙などの形の訃告メッセージを送信することにより、手軽に会員が望む葬儀の手続きを行うことができる。
【００２０】
また、会員端末２０を介してメインサーバ１０に挨拶メッセージと最終メッセージを事前にアップロードしたり、会員が死亡した時点から一定時点で弔問客端末４０に前記の挨拶メッセージと最終メッセージを送信したりすることにより、会員が希望する葬儀の手続きを行うことができる。
【図面の簡単な説明】
【００２１】
この図は、本発明の例示的な実施例を説明する参照するためなので、本発明の技術的思想を添付した図面に限定して解釈さはならない。
【００２２】
【図１】は、、本発明の実施例による死後時点と招待弔問客別のメッセージ送信システムの構成を示す概念図である。
【００２３】
【図２】は、、本発明の実施例による死後時点と招待弔問客別のメッセージ送信システムの会員端末２０を介して弔問客リストとメッセージをアップロードする方法を示す図である。
【００２４】
【図３】は、、本発明の実施例による死後時点と招待弔問客別のメッセージ送信方法を示すフローチャートである。
【００２５】
【図４】は、本発明の実施例による会員端末を所持した会員の死亡時点を把握する方法を示す他のフローチャートである。
【００２６】
【図５】は、、本発明の実施例による訃告メッセージ、挨拶のメッセージ、最終メッセージを示す図である。
【発明を実施するための形態】
【００２７】
本発明の実施例による死後時点と招待弔問客別のメッセージ送信システムは、会員端末２０と、メインサーバ１０が、有線または無線ネットワークを介して接続され、前記会員端末２０と一定の関係の緊急連絡端末３０に関する情報が前記メインサーバ１０に登録されている死後時点と招待弔問客別のメッセージ送信システムにおいて、前記会員端末２０は、前記メインサーバ１０に弔問客に招待する弔問客のリストをアップロードし、前記メインサーバ１０は、前記会員端末２０と、前記緊急連絡端末３０を介して前記会員端末２０を所持した会員の死亡時期を把握し、前記会員端末２０を所持した会員が死亡した時点では、前記弔問客リストに登録された弔問客端末４０に死亡通知を送信することをその特徴とする。
【００２８】
以下、添付した図面を参考にして、本発明の実施例について本発明が属する技術分野で通常の知識を有する者が容易に実施できるように詳細に説明する。しかし、本発明は、複数の異なる形態で具現されることがあり、ここで説明する実施例に限定されない。
【００２９】
本発明を明確に説明するために説明と関係ない部分は省略し、明細書全体を通じて同一又は類似の構成要素については同一の参照符号を付けるようにする。
【００３０】
また、図面で示された各構成の大きさ及び厚さは、説明の便宜のために任意に示したため、本発明は必ずしも図面に示されたところに限定されず、いくつかの部分との領域を明確に表現するために厚さを拡大して示した。
【００３１】
以下では、本発明の実施例による死後時点と招待弔問客別のメッセージ送信システムの構成について添付された図面を参照して、詳細に説明する。
【００３２】
図１は、本発明の実施例による死後時点と招待弔問客別のメッセージ送信システム死亡の構成を示す概念図である。
【００３３】
図１に示すように、本発明の実施例による死後時点と招待弔問客別のメッセージ送信システムは、会員端末２０、緊急連絡端末３０、およびメインサーバ１０とを含む。この時、前記会員端末２０、前記緊急連絡端末３０及び前記メインサーバ１０は、有線または無線ネットワークを介して相互に接続される。
【００３４】
前記会員端末２０は、携帯電話、スマートフォン、タブレットピーシー（tablet PC）などのリムーバブル端末装置であることができる。
【００３５】
前記会員端末２０は、前記会員端末２０を所持した会員の生体情報を収集する生体認証モジュール、前記会員端末２０の位置を把握することができるＧＰＳモジュールを含むことができる。
【００３６】
前記生体モジュールを介して前記会員端末２０を所持した会員の脈拍情報、体温情報などを含む生体情報を検知し、検知された会員の生体情報を前記メインサーバ１０に一定の時間間隔で送信する。
【００３７】
前記ＧＰＳ（Ｇｌｏｂａｌ  Ｐｏｓｉｔｉｏｎ  Ｓｙｓｔｅｍ）モジュールは、前記会員端末２０の現在位置を一定の時間間隔で測定し、測定された前記会員端末２０の位置を前記メインサーバ１０に一定時間間隔で送信する。
【００３８】
前記会員端末２０は、会員が所持する個人の携帯移動端末であることができる。葬儀の手続きを事前に準備する会員は、会員の葬儀に招待する弔問客のリストを前記会員端末２０を介して前記メインサーバ１０に保存することができる。
【００３９】
また、前記会員端末２０を介して弔問客リストから、それぞれの弔問客に発送する多様な形態の挨拶メッセージを事前に作成して前記メインサーバ１０に保存することができる。この時、前記の様々なタイプの挨拶メッセージは、画像、映像、肉声、録音、手紙、または文書などの形で事前に作成することができ、前記会員端末２０を介して前記メインサーバ１０にアップロードすることができる。
【００４０】
前記の挨拶メッセージは、前記会員端末を所持した会員が死亡する前に、前記会員端末を介して、会員が直接出演して製作した訃告のメッセージ、会員が前記弔問客端末に個別に伝えたいメッセージやストーリーを制作した動画、肉声やメールメッセージを含むことができる。
【００４１】
図２は、本発明の実施例による死後時点と招待弔問客別のメッセージ送信システムの会員端末２０を介して弔問客リストとメッセージをアップロードする方法を示した図である。
【００４２】
図２に示すように、会員は前記会員端末２０を介して、自分が死亡したとき行われる葬儀の手続きに招待する弔問客リストを作成し、前記メインサーバ１０にアップロードすることになる。弔問客リストには、会員との関係、氏名、連絡先などを含むことができる。家族の場合には、直系と傍系に区分して弔問客のリストを作成して、知人の場合、会員との関係（例えば、同級生、同僚、先輩・後輩の関係に基づいて）に応じて使い分ける弔問客のリストを作成することができる。
【００４３】
この時、前記会員端末２０を介して、それぞれの弔問客たちに葬儀の手順で実行するイベントを記録することもできる。例えば、特定の知人には、前記メインサーバ１０を介して知人の端末に会員の葬儀の手続きを知らせる訃告を弔問客端末４０に送信した後、会員が生前に作成してアップロードした挨拶メッセージを送信して、出棺後にメッセージを弔問客端末４０に送信するように設定することができる。
【００４４】
再び、図１を参照すると、前記メインサーバ１０は、前記会員端末２０との継続的な通信を介して前記会員端末２０を所持した会員が死亡したかどうかを判断することになる。前記会員端末２０を所持した会員の死亡時点を判断するために、本発明の実施例による死後時点と招待弔問客別のメッセージ送信システムは、緊急連絡端末３０をさらに含むことができる。前記緊急連絡端末３０は、前記会員端末２０と、一定の関係にある人が所持する端末である。例えば、前記の緊急連絡端末３０は、前記会員端末２０を所持した会員の家族が所持した端末であることができる。
【００４５】
前記メインサーバ１０には、全国の病院や葬儀場の位置などを把握できる地図データが格納される。
【００４６】
また、本発明の実施例による死後時点と招待弔問客別のメッセージ送信システムは、ビーコン端末５０をさらに含むことができる。前記ビーコン端末５０（ｂｅａｃｏｎ  ｔｅｒｍｉｎａｌ）は、葬儀場の特定の場所（例えば、葬儀場の入り口、または遺影）に設置されて前記弔問客端末４０の位置を測定し、前記メインサーバ１０に転送する。
【００４７】
前記ビーコン端末５０は、前記の弔問客端末４０の内部に備えられたブルートゥース（登録商標）（Ｂｌｕｅｔｏｏｔｈ（登録商標））モジュールを介して前記弔問客端末４０の位置を把握することができる。前記ビーコン端末５０は、会員の葬儀の手続きが行われる葬儀場に設置されることができる。前記ビーコン端末５０を介して前記弔問客端末４０の位置を把握する方法は、本発明の技術分野に属する通常の技術者に一般的なもので、本明細書では、詳細な説明は省略している。
【００４８】
以下では、本発明の実施例による死後時点と招待された弔問客別のメッセージ送信システムの動作について、添付された図面を参照して、詳細に説明する。
【００４９】
まず、前記会員端末２０を所持した会員は、前記会員端末２０を介して会員が死亡した時、葬儀に招待する弔問客のリストをアップロードするＳ１０。
【００５０】
そして、前記会員端末２０を所持した会員は、前記会員端末２０を介して会員が招待した弔問客に送信されるメッセージをアップロードするＳ２０。この時、前記メッセージは、画像、映像、肉声録音、手紙、または文書などの形でアップロードすることができる。前記メッセージは訃告、挨拶メッセージおよび最終メッセージを含むことができる。
【００５１】
前記メインサーバ１０は、前記会員端末２０を所持した会員の葬儀情報を把握するＳ３０。
【００５２】
具体的には、図４を参照すると、前記会員端末２０を所持した会員の葬儀情報を把握する方法について説明すると、前記会員端末２０を所持した会員は、一定の時間間隔で前記会員端末２０を介して前記メインサーバ１０に自分の状況をアップロードするＳ３１０。
【００５３】
毎日、一定の時間に前記会員端末２０を所持した会員は、前記会員端末２０を介して特定のコードを送信することにより、前記会員端末２０を所持した会員の状態を把握することができる。このように、前記会員端末２０を介して前記メインサーバ１０に特定のコードを入力することにより、前記会員端末２０を所持した会員は、通常の生活を営んでいるのか、特定の病院に入院した状態であるか、または外国旅行のように、長期的に連絡が不可能な状態であるかなどの状態を把握することができる。
【００５４】
もし、前記会員端末２０を介して前記メインサーバ１０に一定時間間隔で特定のコードが入力されない場合、前記メインサーバ１０は、前記会員端末２０に固有のコードを送信するＳ３２０。ここで、前記固有コードは、前記メインサーバ１０において、前記会員端末２０の応答を要求する文字またはその他のアラームであることができる。
【００５５】
もし、前記会員端末２０において、前記メインサーバ１０から送信された固有のコードへの応答がない場合は、前記メインサーバ１０は、前記会員端末２０の位置と会員の生体情報を収集するＳ３３０。この時、前記会員端末２０の内部に備えられたＧＰＳモジュールを介して前記会員端末２０の位置を把握することができ、前記会員端末２０の内部に備えられた生体認証モジュールを介して会員の生体情報を収集することができる。
【００５６】
もし、前記会員端末２０を介して収集された会員の生体情報が危険な状況（例えば、心拍数が一定回数以下、または脈拍数が一定回数以下）であり、前記会員端末２０の位置が特定の場所（例えば、葬儀場）から一定の距離（例えば、５０メートル以内）以内であり、前記特定の場所（例えば、葬儀場）の前記会員端末２０が滞留する時間が一定時間（例えば、１時間）を超えると、前記メインサーバ１０は、前記緊急連絡端末３０に前記会員端末２０を所持した会員の状態を把握するためのアラームを送信するＳ３４０。例えば、前記メインサーバ１０から前記緊急連絡端末３０にテキストメッセージを送信することができる。
【００５７】
前記緊急連絡端末３０は、前記メインサーバ１０に前記会員の死亡時点、葬儀場、及び出棺の日付/時間などを含む訃告通知を送信するＳ３５０。
【００５８】
前記緊急連絡端末３０から前記会員端末２０を所持した会員が死亡したと判断されると、前記メインサーバ１０は、事前に保存された弔問客リストに登録された弔問客端末４０に訃告通知を送信するＳ４０。
【００５９】
前記メインサーバ１０は、葬儀場に設置される前記ビーコン端末５０から送信される信号を介して前記弔問客端末４０の位置を把握するＳ５０。
【００６０】
もし、前記弔問客端末４０が葬儀場の入口から設定された距離以内であると判断されると、前記メインサーバ１０は、前記の弔問客端末４０に葬儀が行われる場所を案内する葬儀案内メッセージを送信するＳ６０。例えば、「会員様の葬儀場は、病院の正面玄関右側地下３階特別室１号です」のような葬儀案内メッセージを送信することができる。
【００６１】
前記弔問客端末４０が遺影から設定された距離以内であると判断されると、前記メインサーバ１０は、前記の弔問客端末４０に挨拶メッセージを送信するＳ７０。前記の挨拶メッセージは、前記会員端末２０を介して前記メインサーバ１０に保存されたもので、前記弔問客端末４０に対応して前記メインサーバ１０に保存されたものである。
【００６２】
一方、前記会員端末２０を所持した会員の写真が表示される遺影は、デジタル遺影６０として実装されることができる。前記デジタル遺影６０は、一般的なディスプレイデバイス（例えば、ＬＣＤなど）を介して実装されることができ、内部に通信モジュールが設けられ、前記メインサーバ１０と有線または無線ネットワークを介して接続することができる。
【００６３】
前記デジタル映像には、前記の弔問客端末４０に送信される挨拶メッセージは、弔問客の弔問時点に合わせて表示されることができる。
【００６４】
また、前記デジタル映像には、前記メインサーバ１０に前記会員端末２０を介して保存された遺影メッセージが表示されることができる。
【００６５】
前記遺影メッセージは幸せな人生を歩んできた人として記憶されるため、楽しい一生の断片を集めて編集したメッセージ、幸せだった瞬間、見せたい瞬間などを動画として編集したり、スライドショーを編集したりした映像を含むことができる。
【００６６】
また、前記遺影メッセージは自分の最後のイベント設計の一環として、愉快な人として記憶されることができる思い出を伝えるメッセージを含むことができる。例えば、葬儀の遅い時間（例えば、夜１２時）に「来てくれてありがてぇ。だが子供たちも休まないといけないから、もうお暇してくれ…」のような形の適切なメッセージを送信することができる。
【００６７】
図５に示すように、前記の挨拶メッセージは、前記弔問客端末４０に対応して前記メインサーバ１０に予め格納される。前記の挨拶メッセージは、前述したように、画像、映像、肉声録音、手紙、または文書などの形で成ることができる。
【００６８】
前記メインサーバ１０は、前記緊急連絡端末３０を介して把握された会員の死亡時点から一定時間経過後（例えば、１年後）前記弔問客端末４０に最終メッセージを送信するＳ８０。前記最終メッセージは、前記メインサーバ１０において、前記弔問客端末４０に送信されるメッセージに、前記会員端末２０を所持した会員の命日を案内するためのものであることができる。このように、前記メインサーバ１０を介して前記弔問客端末４０に最終メッセージを送信することができるため、本発明の死後時点と招待弔問客別のメッセージ送信システムは、デジタル遺影のような役割を遂行することになる。
【００６９】
以上で説明したように、本発明の実施例による死後時点と招待弔問客別のメッセージ送信システム及びこれを用いた死後メッセージの送信方法によれば、会員端末２０を介してメインサーバ１０に弔問客リストをアップロードしたり、特定の時点で弔問客端末４０に訃告通知を送信したりすることにより、手軽に会員の訃報を案内することができる。
【００７０】
また、会員端末２０を介してメインサーバ１０に挨拶メッセージと最終メッセージを事前にアップロードしたり、特定の時点で弔問客端末４０に前記の挨拶メッセージと最終メッセージを送信したりすることにより、会員が希望する葬儀の手続きを実行することができる。
【００７１】
以上で説明した本発明の実施例による死後時点と招待弔問客別のメッセージ送信システム及びこれを用いた死後メッセージの送信方法は、会員端末を所持した会員が死亡したとき、メインサーバを介して事前に保存された弔問客端末に訃告通知、挨拶メッセージ、最終メッセージとを送信するようにすることを例に挙げて説明した。しかし、本発明はこれに限定されず、結婚、婚約、またはその他のイベントに適用されることができるのは無論である。
【００７２】
一方、本発明に係る一実施形態において、上述した死後時点と招待弔問客別のメッセージ送信システムは、方法または装置を実行するようにする一連の指示を含むコンピュータプログラムで実装されることができる。すなわち、本発明は所定のオペレーティングシステムは、例えば、携帯電話のオペレーティングシステム内で駆動されるコンピュータプログラムであることができ、そのプログラムは、前記一連の指示に従ったプロセスを処理して、本発明に係る方法が実施されるようにすることができる。また、本発明に係る他の一実施例においては、前記コンピュータプログラムが保存されている、フロッピーディスク、ＣＤ、ＤＶＤ、ハードディスク、メモリ、さまざまな種類のメモリなどのコンピュータまたは類似の電子機器で読むことができる記録媒体であることができ、前記記録媒体内の前記コンピュータプログラムを読み込んだコンピュータまたは類似の電子機器、例えば、スマートフォンなどは、前記のコンピュータプログラム上の前記一連の指示に基づいて、本発明の方法を実行する。
【００７３】
以上により、本発明の好適な実施例について説明したが、本発明はこれに限定されるものではなく、特許請求の範囲と発明の詳細な説明及び添付した図面の範囲内で様々に変形して実施することが可能であり、また、本発明の範囲に属するのは当然である。
【産業上の利用可能性】
【００７４】
本発明は、死後時点と招待弔問客別のメッセージ送信システム及びこれを用いた死後メッセージ送信システムとして利用可能である。
【符号の説明】
【００７５】
１０  メインサーバ
２０  会員端末
３０  緊急連絡端末
４０  弔問客端末
５０  ビーコン端末
【図１】
0006680894.tif 000002
【図２】
0006680894.tif 000003
【図３】
0006680894.tif 000004
【図４】
0006680894.tif 000005
【図５】
0006680894.tif 000006